(57)【特許請求の範囲】
【請求項１】
駆動部に水供給源からの水を通すための水回路及びチップエアー供給源からのチップエアーを通すためのチップエアー回路を配設され、前記駆動部の先端に突設されるインサート部に、前記水回路に連通する水回路側の接続口及び前記チップエアー回路に連通するチップエアー回路側の接続口をそれぞれ備え、ハンドピース本体に水を通すための水回路及びチップエアーを通すためのチップエアー回路が配設され、前記ハンドピース本体の後端に形成され、前記駆動部の前記インサート部を挿入する軸穴の内周面に、前記水回路に連通する水回路側の接続部及び前記チップエアー回路に連通するチップエアー回路側の接続部をそれぞれ前記インサート部の前記水回路側の接続口及び前記チップエアー回路側の接続口と接続可能に備え、前記駆動部のインサート部を前記ハンドピース本体の軸穴に挿入し両者を連結することにより、前記駆動部の前記水回路側の接続口及び前記チップエアー回路側の接続口と前記ハンドピース本体の前記水回路側の接続部及び前記チップエアー回路側の接続部とをそれぞれ接続し、水を前記駆動部及び前記ハンドピース本体の前記各水回路に通し、チップエアーを前記駆動部及び前記ハンドピース本体の前記各チップエアー回路に通して、前記ハンドピース本体先端のヘッドに向けて送り、前記ヘッドで前記水及び前記チップエアーを混合して噴出させる形式の歯科用ハンドピースの流体回路接続構造において、
前記ハンドピース本体の前記軸穴の開口縁部から前記ハンドピース本体の前記チップエアー回路側の接続部を通り、前記ハンドピース本体の前記チップエアー回路に連通する断面略円筒形に形成される開閉切替孔と、
前記開閉切替孔に回転可能に嵌合可能な略円柱形に形成され、一端側に一端面が開口される中空部を有し、外周面の一部に前記中空部に連通し前記チップエアー側の接続部に臨んで開口可能な連通口を有し、他端面に操作面が設けられて、一端を前記チップエアー回路に連接し、他端の操作面を前記軸穴の開口縁部に表出されて、前記開閉切替孔に回転可能に取り付けられる開閉切替弁と、
を備え、
前記開閉切替弁を回転し、前記開閉切替弁の外周面の前記連通口を前記チップエアー回路側の接続部に合わせる開操作により、前記開閉切替弁の連通口を通じて前記チップエアー回路側の接続部と前記チップエアー回路の間を開き、前記チップエアー回路側の接続部から前記チップエアー回路に前記チップエアーを通すオン状態に切り替え、
前記開閉切替弁を回転し、前記開閉切替弁の外周面の前記連通口を有しない閉鎖面を前記チップエアー回路側の接続部に合わせる閉操作により、前記開閉切替弁の前記閉鎖面を介して前記チップエアー回路側の接続部と前記チップエアー回路の間を閉じ、前記チップエアー回路側の接続部から前記チップエアー回路に前記チップエアーを止めて通さないオフ状態に切り替える、
ことを特徴とする歯科用ハンドピースの流体回路接続構造。
【請求項２】
ハンドピース本体にストッパーが当該ストッパーの先端を開閉切替孔の内周面の外側から内側に突出して取り付けられ、開閉切替弁は外周面に周方向に向けて所定の長さに前記ストッパーに係合可能な凹状のガイドを備え、前記ストッパーと前記ガイドの一端との係合により前記開閉切替弁の外周面の連通口と前記チップエアー回路側の接続部とを位置決めし、前記ストッパーと前記ガイドの他端との係合により前記開閉切替弁の外周面の閉鎖面と前記チップエアー回路側の接続部とを位置決めする請求項１に記載の歯科用ハンドピースの流体回路接続構造。
【請求項３】
開閉切替弁は操作面に各種の工具を係合可能な溝が形成されて、各種の工具により回転操作される請求項１又は２に記載の歯科用ハンドピースの流体回路接続構造。
【請求項４】
駆動部に水供給源からの水を通すための水回路及びチップエアー供給源からのチップエアーを通すためのチップエアー回路を配設され、前記駆動部の先端に突設されるインサート部に、前記水回路に連通する水回路側の接続口及び前記チップエアー回路に連通するチップエアー回路側の接続口をそれぞれ備え、ハンドピース本体に水を通すための水回路及びチップエアーを通すためのチップエアー回路が配設され、前記ハンドピース本体の後端に形成され、前記駆動部の前記インサート部を挿入する軸穴の内周面に、前記水回路に連通する水回路側の接続部及び前記チップエアー回路に連通するチップエアー回路側の接続部をそれぞれ前記インサート部の前記水回路側の接続口及び前記チップエアー回路側の接続口と接続可能に備え、前記駆動部のインサート部を前記ハンドピース本体の軸穴に挿入し両者を連結することにより、前記駆動部の前記水回路側の接続口及び前記チップエアー回路側の接続口と前記ハンドピース本体の前記水回路側の接続部及び前記チップエアー回路側の接続部とをそれぞれ接続し、水を前記駆動部及び前記ハンドピース本体の前記各水回路に通し、チップエアーを前記駆動部及び前記ハンドピース本体の前記各チップエアー回路に通して、前記ハンドピース本体先端のヘッドに向けて送り、前記ヘッドで前記水及び前記チップエアーを混合して噴出させる形式の歯科用ハンドピースの流体回路接続構造において、
前記ハンドピース本体の前記軸穴の開口縁部から前記ハンドピース本体の前記水回路側の接続部、前記チップエアー回路側の接続部をそれぞれ通り、前記ハンドピース本体の前記チップエアー回路に連通する断面略円筒形に形成される開閉切替孔と、
前記開閉切替孔に回転可能に嵌合可能な略円柱形に形成され、一端側に一端面が開口される中空部を有し、外周面の一部に前記中空部に連通し前記チップエアー側の接続部に臨んで開口可能な前記チップエアー回路側の連通口、及び前記チップエアー回路側の連通口に対して前記外周面の周方向に所定角度離れた位置で前記中空部に連通し前記水回路側の接続部に臨んで開口可能な前記水回路側の連通口を有し、他端面に操作面が設けられて、一端を前記チップエアー回路に連接し、他端の前記操作面を前記軸穴の開口縁部に表出されて、前記開閉切替孔に回転可能に取り付けられる開閉切替弁と、
を備え、
前記開閉切替弁を回転し、前記開閉切替弁の外周面の前記チップエアー回路側の連通口を前記チップエアー回路側の接続部に合わせる開操作により、前記開閉切替弁の前記チップエアー回路側の連通口を通じて前記チップエアー回路側の接続部と前記チップエアー回路の間を開く一方、前記開閉切替弁の外周面の前記水回路側の連通口を有しない閉鎖面を介して前記水回路側の接続部と前記チップエアー回路の間を閉じ、前記チップエアー回路側の接続部から前記チップエアー回路に前記チップエアーを通すオン状態に切り替え、
前記開閉切替弁を回転し、前記開閉切替弁の外周面の前記チップエアー回路側の連通口を有しない閉鎖面を前記チップエアー回路側の接続部に合わせる閉操作により、前記開閉切替弁の外周面の前記チップエアー回路側の連通口を有しない閉鎖面を介して前記チップエアー回路側の接続部と前記チップエアー回路の間を閉じる一方、前記開閉切替弁の前記水回路側の連通口が前記水回路側の接続部に合わせられ、前記水回路側の連通口を通じて前記水回路側の接続部と前記チップエアー回路の間を開き、前記チップエアー回路側の接続部から前記チップエアー回路にチップエアーを止めて通さないオフ状態とするとともに前記水回路側の接続部から前記チップエアー回路に水を通す状態に切り替える、
ことを特徴とする歯科用ハンドピースの流体回路接続構造。
【請求項５】
ハンドピース本体にストッパーが当該ストッパーの先端を開閉切替孔の内周面の外側から内側に突出して取り付けられ、開閉切替弁は外周面に周方向に向けて所定の長さに前記ストッパーに係合可能な凹状のガイドを備え、前記ストッパーと前記ガイドの一端との係合により前記開閉切替弁の前記チップエアー回路側の連通口と前記チップエアー回路側の接続部とを位置決めし、前記ストッパーと前記ガイドの他端との係合により前記水回路側の連通口と前記水回路側の接続部とを位置決めする請求項４に記載の歯科用ハンドピースの流体回路接続構造。
【請求項６】
開閉切替弁は操作面に各種の工具を係合可能な溝が形成されて、各種の工具により回転操作される請求項４又は５に記載の歯科用ハンドピースの流体回路接続構造。
【発明の詳細な説明】
【技術分野】
【０００１】
本発明は、歯科用ハンドピースの流体回路接続構造に関し、特に、歯科用ハンドピースはハンドピース本体とハンドピース本体に着脱可能に連結される駆動部とを備え、駆動部をハンドピース本体に連結することにより、駆動部の水回路及びチップエアー回路とハンドピース本体の水回路及びチップエアー回路とをそれぞれ接続する形式の歯科用ハンドピースの流体回路接続構造に関する。
【背景技術】
【０００２】
一般に、ヘッドの先端面から水を霧状に噴出するようにした歯科用ハンドピースが知られている。この種の歯科用ハンドピースの流体回路接続構造では、図７に示すように、歯科用ハンドピースは駆動部１とハンドピース本体３とを備え、駆動部１の先端に先方に突出するインサート部１１を有し、ハンドピース本体３の後端に軸穴３０を有し、駆動部１のインサート部１１をハンドピース本体３の軸穴３０に挿入して連結する形式が採用され、駆動部１に水供給源からの水を通すための水回路（図示省略）及びチップエアー供給源からのチップエアーを通すためのチップエアー回路（図示省略）が各別に配設されて、駆動部１のインサート部１１に水回路に連通する水回路側の接続口１２及びチップエアー回路に連通するチップエアー回路側の接続口１３をそれぞれ備え、ハンドピース本体３に水を通すための水回路３０１及びチップエアーを通すためのチップエアー回路３０２が各別に配設されて、ハンドピース本体３の軸穴３０の内周面に、水回路３０１に連通する水回路側の接続部３２及びチップエアー回路３０２に連通するチップエアー回路側の接続部３３をそれぞれ備える。
このようにして駆動部１のインサート部１１をハンドピース本体３の軸穴３０に挿入し両者を連結することにより、駆動部１の水回路側の接続口１２及びチップエアー回路側の接続口１３とハンドピース本体３の水回路側の接続部３２及びチップエアー回路側の接続部３３とをそれぞれ接続し、水を駆動部１及びハンドピース本体３の各水回路を通し、チップエアーを駆動部１及びハンドピース本体３の各チップエアー回路を通して、ハンドピース本体３先端のヘッドに向けて送り、図８に示すように、ヘッド３６の先端面に１箇所乃至４箇所設けられた孔３７の手前で水及びチップエアーを混合し、当該孔３７から霧状にして噴出させるようになっている。
このような歯科用ハンドピースの流体回路接続構造は例えば特許文献１などにより開示されている。
【先行技術文献】
【特許文献】
【０００３】
【特許文献１】実用新案登録第３１０３６２４号公報
【発明の概要】
【発明が解決しようとする課題】
【０００４】
しかしながら、この種の歯科用ハンドピースの流体回路接続構造では、駆動部に水回路とチップエアー回路を別々に備え、ハンドピース本体に水回路とチップエアー回路を別々に備え、駆動部の水回路をハンドピース本体の水回路に、駆動部のチップエアー回路をハンドピース本体のチップエアー回路にそれぞれ各別に接続する構造になっていて、ヘッド側で水とチップエアーを混合し霧状にして噴出させるため、チップエアー回路をオフ（チップエアーを止めて流さない状態）に切り替えて水回路のみをオン（水を流す状態）にすることができず、歯科治療の目的によって水だけを使いたい場合に、ヘッド先端の孔から（チップエアーを止めて）水のみを放出させることができない、という問題がある。
【０００５】
本発明は、このような従来の問題を解決するものであり、この種の歯科用ハンドピースの流体回路接続構造において、チップエアー回路を当該回路にチップエアーを通すオン状態と当該回路にチップエアーを止めて通さないオフ状態とに切り替えできるようにして、ヘッド先端の孔から水とチップエアーを混合して霧状に噴出する場合など、水とチップエアーの両方を使う場合は、チップエアー回路をオン状態にして、水回路に水を通すとともにチップエアー回路にチップエアーを通し、チップエアーを止めて水のみを放出する場合など、水だけを使う場合は、チップエアー回路をオフ状態に切り替えて、水回路に水を通し、チップエアー回路にチップエアーを止めて通さないようにし、歯科治療の目的に応じて注水方式を選択できるようにすること、を目的とする。
【課題を解決するための手段】
【０００６】
上記目的を達成するために、本発明（１）は、駆動部に水供給源からの水を通すための水回路及びチップエアー供給源からのチップエアーを通すためのチップエアー回路を配設され、前記駆動部の先端に突設されるインサート部に、前記水回路に連通する水回路側の接続口及び前記チップエアー回路に連通するチップエアー回路側の接続口をそれぞれ備え、ハンドピース本体に水を通すための水回路及びチップエアーを通すためのチップエアー回路が配設され、前記ハンドピース本体の後端に形成され、前記駆動部の前記インサート部を挿入する軸穴の内周面に、前記水回路に連通する水回路側の接続部及び前記チップエアー回路に連通するチップエアー回路側の接続部をそれぞれ前記インサート部の前記水回路側の接続口及び前記チップエアー回路側の接続口と接続可能に備え、前記駆動部のインサート部を前記ハンドピース本体の軸穴に挿入し両者を連結することにより、前記駆動部の前記水回路側の接続口及び前記チップエアー回路側の接続口と前記ハンドピース本体の前記水回路側の接続部及び前記チップエアー回路側の接続部とをそれぞれ接続し、水を前記駆動部及び前記ハンドピース本体の前記各水回路に通し、チップエアーを前記駆動部及び前記ハンドピース本体の前記各チップエアー回路に通して、前記ハンドピース本体先端のヘッドに向けて送り、前記ヘッドで前記水及び前記チップエアーを混合して噴出させる形式の歯科用ハンドピースの流体回路接続構造において、前記ハンドピース本体の前記軸穴の開口縁部から前記ハンドピース本体の前記チップエアー回路側の接続部を通り、前記ハンドピース本体の前記チップエアー回路に連通する断面略円筒形に形成される開閉切替孔と、前記開閉切替孔に回転可能に嵌合可能な略円柱形に形成され、一端側に一端面が開口される中空部を有し、外周面の一部に前記中空部に連通し前記チップエアー側の接続部に臨んで開口可能な連通口を有し、他端面に操作面が設けられて、一端を前記チップエアー回路に連接し、他端の操作面を前記軸穴の開口縁部に表出されて、前記開閉切替孔に回転可能に取り付けられる開閉切替弁とを備え、前記開閉切替弁を回転し、前記開閉切替弁の外周面の前記連通口を前記チップエアー回路側の接続部に合わせる開操作により、前記開閉切替弁の連通口を通じて前記チップエアー回路側の接続部と前記チップエアー回路の間を開き、前記チップエアー回路側の接続部から前記チップエアー回路に前記チップエアーを通すオン状態に切り替え、前記開閉切替弁を回転し、前記開閉切替弁の外周面の前記連通口を有しない閉鎖面を前記チップエアー回路側の接続部に合わせる閉操作により、前記開閉切替弁の前記閉鎖面を介して前記チップエアー回路側の接続部と前記チップエアー回路の間を閉じ、前記チップエアー回路側の接続部から前記チップエアー回路に前記チップエアーを止めて通さないオフ状態に切り替える、ことを要旨とする。
この場合、ハンドピース本体にストッパーが当該ストッパーの先端を開閉切替孔の内周面の外側から内側に突出して取り付けられ、開閉切替弁は外周面に周方向に向けて所定の長さに前記ストッパーに係合可能な凹状のガイドを備え、前記ストッパーと前記ガイドの一端との係合により前記開閉切替弁の外周面の連通口と前記チップエアー回路側の接続部とを位置決めし、前記ストッパーと前記ガイドの他端との係合により前記開閉切替弁の外周面の閉鎖面と前記チップエアー回路側の接続部とを位置決めするようにすることが好ましい。
また、この場合、開閉切替弁は操作面に各種の工具を係合可能な溝が形成されて、各種の工具により回転操作されることが好ましい。
【０００７】
また、本発明（２）は、駆動部に水供給源からの水を通すための水回路及びチップエアー供給源からのチップエアーを通すためのチップエアー回路を配設され、前記駆動部の先端に突設されるインサート部に、前記水回路に連通する水回路側の接続口及び前記チップエアー回路に連通するチップエアー回路側の接続口をそれぞれ備え、ハンドピース本体に水を通すための水回路及びチップエアーを通すためのチップエアー回路が配設され、前記ハンドピース本体の後端に形成され、前記駆動部の前記インサート部を挿入する軸穴の内周面に、前記水回路に連通する水回路側の接続部及び前記チップエアー回路に連通するチップエアー回路側の接続部をそれぞれ前記インサート部の前記水回路側の接続口及び前記チップエアー回路側の接続口と接続可能に備え、前記駆動部のインサート部を前記ハンドピース本体の軸穴に挿入し両者を連結することにより、前記駆動部の前記水回路側の接続口及び前記チップエアー回路側の接続口と前記ハンドピース本体の前記水回路側の接続部及び前記チップエアー回路側の接続部とをそれぞれ接続し、水を前記駆動部及び前記ハンドピース本体の前記各水回路に通し、チップエアーを前記駆動部及び前記ハンドピース本体の前記各チップエアー回路に通して、前記ハンドピース本体先端のヘッドに向けて送り、前記ヘッドで前記水及び前記チップエアーを混合して噴出させる形式の歯科用ハンドピースの流体回路接続構造において、前記ハンドピース本体の前記軸穴の開口縁部から前記ハンドピース本体の前記水回路側の接続部、前記チップエアー回路側の接続部をそれぞれ通り、前記ハンドピース本体の前記チップエアー回路に連通する断面略円筒形に形成される開閉切替孔と、前記開閉切替孔に回転可能に嵌合可能な略円柱形に形成され、一端側に一端面が開口される中空部を有し、外周面の一部に前記中空部に連通し前記チップエアー側の接続部に臨んで開口可能な前記チップエアー回路側の連通口、及び前記チップエアー回路側の連通口に対して前記外周面の周方向に所定角度離れた位置で前記中空部に連通し前記水回路側の接続部に臨んで開口可能な前記水回路側の連通口を有し、他端面に操作面が設けられて、一端を前記チップエアー回路に連接し、他端の前記操作面を前記軸穴の開口縁部に表出されて、前記開閉切替孔に回転可能に取り付けられる開閉切替弁とを備え、前記開閉切替弁を回転し、前記開閉切替弁の外周面の前記チップエアー回路側の連通口を前記チップエアー回路側の接続部に合わせる開操作により、前記開閉切替弁の前記チップエアー回路側の連通口を通じて前記チップエアー回路側の接続部と前記チップエアー回路の間を開く一方、前記開閉切替弁の外周面の前記水回路側の連通口を有しない閉鎖面を介して前記水回路側の接続部と前記チップエアー回路の間を閉じ、前記チップエアー回路側の接続部から前記チップエアー回路に前記チップエアーを通すオン状態に切り替え、前記開閉切替弁を回転し、前記開閉切替弁の外周面の前記チップエアー回路側の連通口を有しない閉鎖面を前記チップエアー回路側の接続部に合わせる閉操作により、前記開閉切替弁の外周面の前記チップエアー回路側の連通口を有しない閉鎖面を介して前記チップエアー回路側の接続部と前記チップエアー回路の間を閉じる一方、前記開閉切替弁の前記水回路側の連通口が前記水回路側の接続部に合わせられ、前記水回路側の連通口を通じて前記水回路側の接続部と前記チップエアー回路の間を開き、前記チップエアー回路側の接続部から前記チップエアー回路にチップエアーを止めて通さないオフ状態とするとともに前記水回路側の接続部から前記チップエアー回路に水を通す状態に切り替える、ことを要旨とする。
この場合、ハンドピース本体にストッパーが当該ストッパーの先端を開閉切替孔の内周面の外側から内側に突出して取り付けられ、開閉切替弁は外周面に周方向に向けて所定の長さに前記ストッパーに係合可能な凹状のガイドを備え、前記ストッパーと前記ガイドの一端との係合により前記開閉切替弁の前記チップエアー回路側の連通口と前記チップエアー回路側の接続部とを位置決めし、前記ストッパーと前記ガイドの他端との係合により前記水回路側の連通口と前記水回路側の接続部とを位置決めするようにすることが好ましい。
また、この場合、開閉切替弁は操作面に各種の工具を係合可能な溝が形成されて、各種の工具により回転操作されることが好ましい。
【発明の効果】
【０００８】
本発明（１）の歯科用ハンドピースの流体回路接続構造によれば、上記の構成により、開閉切替弁を回転し、開閉切替弁の外周面の連通口をチップエアー回路側の接続部に合わせる開操作により、開閉切替弁の連通口を通じてチップエアー回路側の接続部とチップエアー回路の間を開き、チップエアー回路側の接続部からチップエアー回路にチップエアーを通すオン状態に切り替え、開閉切替弁を回転し、開閉切替弁の外周面の連通口を有しない閉鎖面をチップエアー回路側の接続部に合わせる閉操作により、開閉切替弁の閉鎖面を介してチップエアー回路側の接続部とチップエアー回路の間を閉じ、チップエアー回路側の接続部からチップエアー回路にチップエアーを止めて通さないオフ状態に切り替えるようにしたので、ヘッド先端の孔で水とチップエアーを混合して霧状に噴出させる場合など、水とチップエアーの両方を使う場合は、チップエアー回路をオン状態に切り替えて、水回路に水を通すとともにチップエアー回路にチップエアーを通すことができ、チップエアーを止めて水のみを放出する場合など、水だけを使う場合は、チップエアー回路をオフ状態に切り替えて、水回路に水を通し、チップエアー回路にチップエアーを止めて通さないようにすることができ、歯科治療の目的に応じて注水方式を選択することができる、という本願発明独自の格別な効果を奏する。
本発明（２）の歯科用ハンドピースの流体回路接続構造によれば、上記の構成により、開閉切替弁を回転し、開閉切替弁の外周面のチップエアー回路側の連通口をチップエアー側の接続部に合わせる開操作により、開閉切替弁のチップエアー回路側の連通口を通じてチップエアー回路側の接続部とチップエアー回路の間を開く一方、開閉切替弁の外周面の水回路側の連通口を有しない閉鎖面を介して水回路側の接続部とチップエアー回路の間を閉じ、チップエアー回路側の接続部からチップエアー回路にチップエアーを通すオン状態に切り替え、開閉切替弁を回転し、開閉切替弁の外周面のチップエアー回路側の連通口を有しない閉鎖面をチップエアー回路側の接続部に合わせる閉操作により、開閉切替弁の外周面のチップエアー回路側の連通口を有しない閉鎖面を介してチップエアー回路側の接続部とチップエアー回路の間を閉じる一方、開閉切替弁の水回路側の連通口が水回路側の接続部に合わせられ、水回路側の連通口を通じて水回路側の接続部とチップエアー回路の間を開き、チップエアー回路側の接続部からチップエアー回路にチップエアーを止めて通さないオフ状態とするとともに水回路側の接続部からチップエアー回路に水を通す状態に切り替えるようにしたので、ヘッド先端の孔で水とチップエアーを混合して霧状に噴出させる場合など、水とチップエアーの両方を使う場合は、チップエアー回路をオン状態に切り替えて、水回路に水を通すとともにチップエアー回路にチップエアーを通すことができ、チップエアーを止めて水のみを放出する場合など、水だけを使う場合は、チップエアー回路をオフ状態に切り替えて、水回路に水を通すとともにチップエアー回路にチップエアーを通さないで水を通し、水を増量して流すことができ、歯科治療の目的に応じて注水方式を選択することができる、という本願発明独自の格別な効果を奏する。
【図面の簡単な説明】
【０００９】
【図１】本発明の一実施の形態における歯科用ハンドピースの流体回路接続構造の特にハンドピース本体側の構造を示す側面断面図
【図２】同構造の要部を示す図（（ａ）はハンドピース本体の後部側の側面断面図（ｂ）はハンドピース本体の後端面図）
【図３】同構造に採用されるハンドピース本体の開閉切替孔、開閉切替弁、及びストッパーを示す分解斜視図
【図４】同構造に採用されるハンドピース本体の開閉切替孔、開閉切替弁、及びストッパーを示す後端側の断面図
【図５】同構造に採用されるハンドピース本体の開閉切替弁の開操作により、チップエアー回路側の接続部からチップエアー回路にチップエアーを通すオン状態に切り替えた状態を示すハンドピース本体内部の断面図
【図６】同構造に採用されるハンドピース本体の開閉切替弁の閉操作により、チップエアー回路側の接続部からチップエアー回路にチップエアーを止めて通さないオフ状態に切り替えた状態を示すハンドピース本体内部の断面図
【図７】従来の歯科用ハンドピースの流体回路接続構造を示す一部省略側面断面図
【図８】同ハンドピースの特にヘッド側を示す斜視図
【発明を実施するための形態】
【００１０】
次に、本発明の実施の形態について図を用いて説明する。図１、図２に歯科用ハンドピースの流体回路接続構造に特有の構成を示し、図３、図４にこの構造に採用される各部の構成を示している。なお、この実施の形態においては、駆動部の構成が従来と同様であり、周知なので、図示を省略している。駆動部の説明が必要な場合は、従来の技術の説明で用いた図７を参照し、図７中の符合を括弧を付けて使用することにする。
図１及び図２（ａ）に示すように（図７を併せて参照）、この歯科用ハンドピースＰは、駆動部（１）とハンドピース本体２とを備え、駆動部（１）の先端に先方に突出するインサート部（１１）を有し、ハンドピース本体２の後端に軸穴２０を有し、駆動部（１）のインサート部（１１）をハンドピース本体２の軸穴２０に挿入して連結する形式を採っている。
そして、この流体回路接続構造では、駆動部（１）に水供給源からの水を通すための水回路及びチップエアー供給源からのチップエアーを通すためのチップエアー回路が各別に配設されて、駆動部（１）のインサート部（１１）に水回路に連通する水回路側の接続口（１２）及びチップエアー回路に連通するチップエアー回路側の接続口（１３）をそれぞれ備え、ハンドピース本体２に水を通すための水回路２０１及びチップエアーを通すためのチップエアー回路２０２が各別に配設されて、ハンドピース本体２の軸穴２０の内周面に、水回路２０１に連通する水回路側の接続部２２及びチップエアー回路２０２に連通するチップエアー回路側の接続部２３をそれぞれ、駆動部（１）のインサート部（１１）の水回路側の接続口（１２）及びチップエアー回路側の接続口（１３）と接続可能に備える。
この場合、駆動部（１）の水回路はチューブからなり、駆動部（１）の内部に通され、水回路側の接続口（１２）はインサート部（１１）の外周面でインサート部（１１）の基端（根元）側所定の位置に小さい孔状に形成されて、水回路に連通される。駆動部（１）のチップエアー回路はチューブからなり、駆動部（１）の内部に通され、チップエアー回路側の接続口（１３）はインサート部（１１）の外周面に水回路側の接続口（１２）よりも少し先端側でこの水回路側の接続口（１２）に対して周方向に適宜の角度だけ離れた所定の位置に小さい孔状に形成されて、チップエアー回路に連通される。
また、ハンドピース本体２はハウジング２１の後部内部の内周に沿ってパイプ２１０が嵌着されて、このパイプ２１０により軸穴２０が形成される。この場合、パイプ２１０は、図３に示すように、ハンドピース本体２の軸穴２０の開口縁部をなす開口２００の縁部が肉厚の大径部になっている。ハンドピース本体２の水回路２０１は、図２（ａ）に示すように、チューブからなり、ハンドピース本体２の内部に、この場合、ハウジング２１とパイプ２１０との間に通され、水回路側の接続部２２は軸穴２０の内周面、この場合、パイプ２１０の内周面でインサート部（１１）の水回路側の接続口（１２）に対応する所定の位置に円周方向に向けて溝形に形成されて、この接続部２２に連通する水回路２０１（のチューブ）の連結口２４を介して水回路２０１（のチューブ）に連通される。ハンドピース本体２のチップエアー回路２０２は、図２（ａ）に示すように、チューブからなり、ハンドピース本体２の内部に、この場合、ハウジング２１とパイプ２１０との間に通され、チップエアー回路側の接続部２３は軸穴２０の内周面、この場合、パイプ２１０の内周面でインサート部（１１）のチップエアー回路側の接続口（１３）に対応する水回路側の接続部２２よりも少し奥側の所定の位置に円周方向に向けて溝形に形成されて、この接続部２３に連通するチップエアー回路（のチューブ）の連結口２５を介してチップエアー回路２０２（のチューブ）に連通される。
このようにして駆動部（１）のインサート部（１１）をハンドピース本体２の軸穴２０に挿入し両者を連結することにより、駆動部（１）の水回路側の接続口（１２）及びチップエアー回路側の接続口（１３）とハンドピース本体２の水回路側の接続部２２及びチップエアー回路側の接続部２３とをそれぞれ接続し、水を駆動部（１）及びハンドピース本体２の各水回路を通し、チップエアーを駆動部（１）及びハンドピース本体２の各チップエアー回路を通して、ハンドピース本体２先端のヘッド２６に向けて送り、ヘッド２６で水及びチップエアーを混合して噴出させるようになっている。
【００１１】
図２（ａ）、（ｂ）に示すように、この流体回路接続構造では、特に、ハンドピース本体２のチップエアー回路側の接続部２３とチップエアー回路２０２との間に、当該接続部２３及び回路２０２間を開閉可能な開閉切替弁４をハンドピース本体２の表面上で開閉操作可能に備え、開閉切替弁４の開操作により、チップエアー回路側の接続部２３からチップエアー回路２０２にチップエアーを通すオン状態に切り替え、開閉切替弁４の閉操作により、チップエアー回路側の接続部２３からチップエアー回路２０２にチップエアーを止めて通さないオフ状態に切り替えるようになっている。
この構造の場合、図３に示すように、ハンドピース本体２の軸穴２０の開口縁部をなすパイプ２１０の開口２００縁部からハンドピース本体２の水回路側の接続部２２、チップエアー回路側の接続部２３をそれぞれ通り、ハンドピース本体２のチップエアー回路２０２に連通する断面略円筒形の開閉切替孔５が形成されて、開閉切替弁４は、当該孔５に回転可能に嵌合可能な略円柱形に形成され、一端側に一端面が開口される中空部４０を有し、外周面の一部に中空部４０に連通しチップエアー側の接続部２３に臨んで開口可能なチップエアー側の連通口４１、及びチップエアー回路側の連通口４１に対して軸方向他端側に少し間隔を取り、外周面の周方向に所定角度離れた位置で中空部４０に連通し水回路側の接続部２２に臨んで開口可能な水回路側の連通口４２を有し、他端面に操作面４３として各種の工具を係合可能な溝が設けられて、一端をチップエアー回路２０２に連接し、他端の操作面４３を軸穴２０の開口２００縁部に表出されて、当該孔５に回転可能に取り付けられる。
この場合、開閉切替孔５は、軸穴２０の開口２００縁部でチップエアー回路側の接続部２３に連通するチップエアー回路２０２の連結口２５に対向する位置に、開口２００縁部からハンドピース本体２の水回路側の接続部２２の両側、チップエアー回路側の接続部２３の両側をそれぞれ通り、当該連結口２５まで、当該連結口２５に同芯的に形成される。開閉切替弁４は、一端がこの一端の開口を連結口２５（の開口）に連接可能に形成され、チップエアー回路側の連通口４１が開閉切替弁４の外周面の一端側でハンドピース本体２のチップエアー回路側の接続部２３に対応する位置に形成され、水回路側の連通口４２が開閉切替弁４の外周面でハンドピース本体２の水回路側の接続部２２に対応する位置にチップエアー側の連通口４１に対して周方向に１８０度の間隔を取って形成され、この外周面の水回路側の接続部２２の両側に対応する位置にそれぞれ凹溝４４、４５が形成されて、これらの凹溝４４、４５にＯリング４４０、４５０が嵌着される。開閉切替弁４の操作面４３はこの開閉切替弁４の他端面の直径上にすり割４３１が形成されて、マイナスドライバーなどが係合可能になっている。
【００１２】
また、この構造の場合、図３に示すように、ハンドピース本体２の開閉切替孔５の周囲にこの開閉切替孔５の内周面に連通するストッパー取付孔６が形成され、ストッパー取付孔６に軸状のストッパー７が当該ストッパー７の先端を開閉切替孔５内に突出して取り付けられる。そして、開閉切替弁４は外周面に周方向に向けて所定の長さにストッパー７に係合可能な凹状のガイド４６を備え、ストッパー７とガイド４６の一端との係合により開閉切替弁４のチップエアー回路側の連通口４１とチップエアー側の接続部２３とを位置決めされ、ストッパー７とガイド４６の他端との係合により開閉切替弁４の水回路側の連通口４２と水回路側の接続部２２とを位置決めされる。
この場合、図４に示すように、ストッパー取付孔６はハンドピース本体２のパイプ２１０の一端の大径部の外周面の一部が開口され、開閉切替孔５の内周面の外側から内側に貫通して形成され、孔の内周面にねじ６０が切られる。ストッパー７は直軸からなり、先端に少し小径の凸状部７１を有し、外周面にねじ７０が切られる。ストッパー７はハンドピース本体２のストッパー取付孔６に締め込まれて固定され、先端の凸状部７１が開閉切替孔５内に突出される。また、開閉切替弁４のガイド４６は開閉切替弁４の外周面のハンドピース本体２側のストッパー７に対応する所定の位置に周方向に向けて１８０度の角度範囲に断面略Ｕ字形の凹状に形成される。開閉切替弁４は開閉切替孔５内で外周面のガイド４６とストッパー取付孔６に固定されるストッパー７との係合により抜け止めされ、この開閉切替弁４の開、閉操作が案内される。この場合、開閉切替弁４を所定の一方向に、開閉切替弁４のガイド４６の一端の段部がストッパー７先端の凸状部７１に衝接するまで回すと、開閉切替弁４の外周面のチップエアー回路側の連通口４１がチップエアー回路側の接続部２３に位置決めされ、この開閉切替弁４を所定の他方向に、開閉切替弁４のガイド４６の他端の段部がストッパー７先端の凸状部７１に衝接するまで回すと、開閉切替弁４の外周面のチップエアー回路側の連通口４１を有しない閉鎖面がチップエアー回路側の接続部２３に位置決めされる。
【００１３】
このようにして開閉切替弁４の操作面４３を各種の工具、この場合、マイナスドライバーなどを用いて回転操作し、開閉切替弁４を所定の一方向に開閉切替弁４のガイド４６の一端がストッパー７に衝接するまで回すことにより、開閉切替弁４の外周面のチップエアー回路側の連通口４１がチップエアー回路側の接続部２３に合わせられ、この開閉切替弁４の連通口４１を通じてチップエアー回路側の接続部２３とチップエアー回路２０２との間を開く一方、開閉切替弁４の外周面の水回路側の連通口４２を有しない閉鎖面が水回路側の接続部２２に合わせられ、この開閉切替弁４の外周面の閉鎖面を介して水回路側の接続部２２とチップエアー回路２０２との間を閉じ、反対に、開閉切替弁４を所定の他方向に開閉切替弁４のガイド４６の他端がストッパー７に衝接するまで、すなわち１８０度回すことにより、開閉切替弁４の外周面のチップエアー回路側の連通口４１を有しない閉鎖面がチップエアー回路側の接続部２３に合わせられ、この開閉切替弁４の外周面の閉鎖面を介してチップエアー回路側の接続部２３とチップエアー回路２０２との間を閉じる一方、開閉切替弁４の外周面の水回路側の連通口４２が水回路側の接続部２２に合わせられ、この開閉切替弁４の連通口４２を通じて水回路側の接続部２２とチップエアー回路２０２との間を開くようになっている。なお、前段の回転操作は開閉切替弁４のチップエアー回路側の連通口４１をチップエアー回路側の接続部２３に合わせるので、この開閉切替弁４の開操作となり、後段の回転操作は開閉切替弁４の外周面の閉鎖面をチップエアー回路側の接続部２３に合わせるので、この開閉切替弁４の閉操作となる。
【００１４】
このようにこの構造では、駆動部（１）に水回路とチップエアー回路を別々に備え、ハンドピース本体２に水回路２０１とチップエアー回路２０２を別々に備え、駆動部（１）の水回路をハンドピース本体２の水回路２０１に、駆動部（１）のチップエアー回路をハンドピース本体２のチップエアー回路２０２にそれぞれ各別に接続する形式を採っていても、ハンドピース本体２のチップエアー回路側の接続部２３とチップエアー回路２０２との間に、当該接続部２３及び回路２０２間を開閉可能な開閉切替弁４をハンドピース本体２の表面上で開閉操作可能に配設し、開閉切替弁４の開操作により、チップエアー回路側の接続部２３からチップエアー回路２０２にチップエアーを通すオン状態に切り替え、開閉切替弁４の閉操作により、チップエアー回路側の接続部２３からチップエアー回路２０２にチップエアーを止めて通さないオフ状態に切り替えるようにしているので、チップエアー回路２０２をオンに切り替えれば、駆動部（１）のチップエアー回路から流されるチップエアーが、開閉切替弁４を通じて、ハンドピース本体２のチップエアー回路２０２に通され、チップエアー回路２０２をオフに切り替えれば、駆動部（１）のチップエアー回路から流されるチップエアーが、開閉切替弁４により止められ、チップエアー回路２０２に連通しないようになっている。
そして、この構造では、開閉切替弁４を所定の一方向に開閉切替弁４のガイド４６の一端がストッパー７に衝接するまで回すと、図５に示すように、開閉切替弁４の外周面のチップエアー回路側の連通口４１がチップエアー回路側の接続部２３に合わせられ、この開閉切替弁４の連通口４１を通じてチップエアー回路側の接続部２３とチップエアー回路２０２の間を開く一方、開閉切替弁４の外周面の閉鎖面が水回路側の接続部２２に合わせられ、この開閉切替弁４の閉鎖面を介して水回路側の接続部２２とチップエアー回路２０１との間を閉じるので、この開閉切替弁４の開操作により、チップエアー回路２０２にチップエアーが通され、反対に、開閉切替弁４を所定の他方向に開閉切替弁４のガイド４６の他端がストッパー７に衝接するまで回すと、図６に示すように、開閉切替弁４の外周面の閉鎖面がチップエアー回路側の接続部２３に合わせられ、この開閉切替弁４の外周面の閉鎖面を介してチップエアー回路側の接続部２３とチップエアー回路２０２との間を閉じる一方、開閉切替弁４の外周面の水回路側の連通口４２が水回路側の接続部２２に合わせられ、この開閉切替弁４の連通口４２を通じて水回路側の接続部２２とチップエアー回路２０１の間を開くので、この開閉切替弁４の閉操作により、チップエアー回路２０２にチップエアーが止められ連通しないようにして、水回路２０１及びチップエアー回路２０２の各回路に水が通され、この２系統の回路２０１、２０２により水が増量して流される。
【００１５】
以上説明したように、この歯科用ハンドピースＰの流体回路接続構造では、ハンドピース本体２のチップエアー回路側の接続部２３とチップエアー回路２０２との間に、当該接続部２３及び回路２０２間を開閉可能な開閉切替弁４をハンドピース本体２の表面上で開閉操作可能に備え、開閉切替弁４の開閉操作により、チップエアー回路をオン又はオフに切り替えるようにしたので、ヘッド先端の孔で水とチップエアーを混合して霧状に噴出する場合など、水とチップエアーの両方を使う場合は、チップエアー回路２０２をオンに切り替えて、水回路２０１に水を通すとともにチップエアー回路２０２にチップエアーを通すことができ、チップエアーを止めて水のみを放出する場合など、水だけを使う場合は、チップエアー回路２０２をオフに切り替えて、水回路２０１に水を通し、チップエアー回路２０２にチップエアーを止めて通さないようにすることができ、歯科治療の目的に応じて注水方式を選択することができる。
【００１６】
また、この構造によれば、開閉切替弁４に、チップエアー側の連通口４１及び水回路側の連通口４２を併せて有し、この開閉切替弁４の回転操作により、開閉切替弁４のチップエアー回路側の連通口４１をチップエアー側の接続部２３に合わせることにより、開閉切替弁４の連通口４１を通じてチップエアー回路側の接続部２３とチップエアー回路２０２との間を開く一方、開閉切替弁４の外周面の閉鎖面を介して水回路側の接続部２２とチップエアー回路２０２との間を閉じ、開閉切替弁４の水回路側の連通口４２を水回路側の接続部２２に合わせることにより、開閉切替弁４の水回路側の連通口４２を通じて水回路側の接続部２２とチップエアー回路２０２との間を開く一方、開閉切替弁４の外周面の閉鎖面を介してチップエアー回路側の接続部２３とチップエアー回路２０２との間を閉じるようにしたので、この開閉切替弁４の開操作により、チップエアー回路２０２をオンに切り替えて、水回路２０１に水を通しチップエアー回路２０２にチップエアーを通すことができ、反対に、この開閉切替弁４の閉操作により、チップエアー回路２０２をオフに切り替えて、チップエアー回路２０２にチップエアーを止めて通さないようにするとともに、このチップエアー回路２０２と水回路側の接続部２２とを連通させて、水を水回路２０１及びチップエアー回路２０２の２系統に通し、この２系統で水を増量して流すことができる。
【００１７】
さらに、この構造によれば、ハンドピース本体２にストッパー取付孔６が形成され、このストッパー取付孔６に軸状のストッパー７が当該ストッパー７の先端を開閉切替孔５内に突出して取り付けられ、開閉切替弁４は外周面に周方向に向けて所定の長さにストッパー７に係合可能な凹状のガイド４６を備え、ストッパー７とガイド４６の一端との係合により開閉切替弁４のチップエアー回路側の連通口４１とチップエアー側の接続部２３とを位置決めし、ストッパー７とガイド４６の他端との係合により開閉切替弁４の水回路側の連通口４２と水回路側の接続部２２とを位置決めするようにしたので、簡単な構成のストッパー７とガイド４６により、開閉切替弁４の開、閉操作を容易かつ確実に行なうことができる。
【００１８】
またさらに、この構造によれば、開閉切替弁４は操作面４３に各種の工具を係合可能な溝が形成されて、各種の工具により回転操作されるので、開閉切替弁４の開、閉操作を容易かつ確実に行なうことができる。
【００１９】
なお、この実施の形態では、開閉切替孔が、ハンドピース本体の軸穴の開口縁部からハンドピース本体の水回路側の接続部、チップエアー回路側の接続部をそれぞれ通り、ハンドピース本体のチップエアー回路に連通するように形成され、開閉切替弁が、外周面の一部にチップエアー側の連通口、及び水回路側の連通口を有し、当該孔に回転可能に取り付けられて、開閉切替弁の回転操作により、開閉切替弁の外周面のチップエアー回路側の連通口をチップエアー側の接続部に合わせることにより、開閉切替弁の連通口を通じてチップエアー回路側の接続部とチップエアー回路の間を開く一方、開閉切替弁の外周面の閉鎖面を介して水回路側の接続部とチップエアー回路の間を閉じ、開閉切替弁の外周面の水回路側の連通口を水回路側の接続部に合わせることにより、開閉切替弁の水回路側の連通口を通じて水回路側の接続部とチップエアー回路の間を開く一方、開閉切替弁の外周面の閉鎖面を介してチップエアー回路側の接続部とチップエアー回路の間を閉じるようにしているが、開閉切替孔は、ハンドピース本体の軸穴の開口縁部からハンドピース本体のチップエアー回路側の接続部を通り、ハンドピース本体のチップエアー回路に連通する断面略円筒形に形成され、開閉切替弁は、当該孔に回転可能に嵌合可能な略円柱形に形成されて、外周面の一部に中空部に連通しチップエアー回路側の接続部に臨んで開口可能な連通口（チップエアー回路側の連通口）のみを有し、当該孔に回転可能に取り付けられて、開閉切替弁の回転操作により、開閉切替弁の外周面の連通口をチップエアー回路側の接続部に合わせることにより、開閉切替弁の連通口を通じてチップエアー回路側の接続部とチップエアー回路の間を開き、開閉切替弁の外周面の閉鎖面をチップエアー回路側の接続部に合わせることにより、開閉切替弁の閉鎖面を介してチップエアー回路側の接続部とチップエアー回路の間を閉じるようにしてもよく、このようにしても、上記と同様に、開閉切替弁の開操作により、チップエアー回路側の接続部からチップエアー回路にチップエアーを通すオン状態に切り替え、開閉切替弁の閉操作により、チップエアー回路側の接続部からチップエアー回路にチップエアーを止めて通さないオフ状態に切り替えることができ、上記と同様の効果を得ることができる。
また、この場合も、ハンドピース本体のストッパー取付孔に取り付けられるストッパーと、開閉切替弁の外周面に形成される凹状のガイドとの係合により、開閉切替弁の外周面の連通口とチップエアー側の接続部とを位置決めし、開閉切替弁の外周面の閉鎖面とチップエアー回路側の接続部とを位置決めすることにより、上記と同様の効果を得ることができる。
【符号の説明】
【００２０】
Ｐ  歯科用ハンドピース
１  駆動部
１１  インサート部
１２  水回路側の接続口
１３  チップエアー回路側の接続口
２  ハンドピース本体
２０  軸穴
２０１  水回路
２０２  チップエアー回路
２１  ハウジング
２１０  パイプ
２２  水回路側の接続部
２３  チップエアー回路側の接続部
２４  連結口
２５  連結口
２６  ヘッド
４  開閉切替弁
４０  中空部
４１  チップエアー回路側の連通口
４２  水回路側の連通口
４３  操作面
４３１  すり割り
４４  凹溝
４５  凹溝
４６  ガイド
４４０  Ｏリング
４５０  Ｏリング
５  開閉切替孔
６  ストッパー取付孔
６０  ねじ
７  ストッパー
７０  ねじ
７１  凸状部
【図１】
0005767021.tif 000002
【図２】
0005767021.tif 000003
【図３】
0005767021.tif 000004
【図４】
0005767021.tif 000005
【図５】
0005767021.tif 000006
【図６】
0005767021.tif 000007
【図７】
0005767021.tif 000008
【図８】
0005767021.tif 000009